(57)【特許請求の範囲】
【請求項１】
乳児の身体であるオブジェクトを上方に向かって支持するマット本体と、
前記マット本体の表面より全体として丘状に突出し、オブジェクトの腹側を支持するサイドサポーターと、
前記マット本体の幅方向に交差するか横切って位置し、前記マット本体に固定されてオブジェクトに密着し、前記オブジェクトを横向きに保持する圧迫サポーターと、
前記圧迫サポーターの前記オブジェクトと対向する部分に設置されるクッション充填部と、を含み、
前記サイドサポーターの中央部は、前記マット本体の表面と並行する方向に前記マット本体の中央に向かって、前記サイドサポーターの端部に比べて突出しており、前記圧迫サポーターにより、乳児が前記サイドサポーターを手と腕で抱きかかえるように保持されることを特徴とする乳児熟眠補助用機能性マット。
【請求項２】
前記サイドサポーターは、前記マット本体と着脱可能に設置されることを特徴とする請求項１に記載の乳児熟眠補助用機能性マット。
【請求項３】
前記圧迫サポーターは、前記マット本体と着脱可能に設置されることを特徴とする請求項１に記載の乳児熟眠補助用機能性マット。
【請求項４】
前記サイドサポーターのマット縁側位置または下面位置に前記圧迫サポーターの固定のための固定手段が設置されていることを特徴とする請求項１に記載の乳児熟眠補助用機能性マット。
【請求項５】
前記サイドサポーターには１箇所以上の締結孔が設置されていることを特徴とする請求項１に記載の乳児熟眠補助用機能性マット。
【請求項６】
前記締結孔は、前記サイドサポーターのマット縁側の側面と下面が互いに連通された孔であり、マット本体に設置されている締結具を前記締結孔の中に挿入して前記マット本体と前記サイドサポーターを締結するものであることを特徴とする請求項５に記載の乳児熟眠補助用機能性マット。
【請求項７】
前記圧迫サポーターの一方の端の連結片を前記締結具と結合して前記圧迫サポーターの一方を固定することを特徴とする請求項６に記載の乳児熟眠補助用機能性マット。
【請求項８】
前記締結孔は、前記サイドサポーターのマット縁側の側面と反対側の側面が互いに連通された孔であり、前記圧迫サポーターの一方の端の連結片を前記締結孔の中に挿入した後、前記連結片を前記マット本体に連結することによって、前記圧迫サポーターの一方を固定するものであることを特徴とする請求項５に記載の乳児熟眠補助用機能性マット。
【請求項９】
前記圧迫サポーターの使用時、オブジェクトを基準に前記圧迫サポーターの一方の面はオブジェクトの上に、他方の面はオブジェクトの下に位置することを特徴とする請求項１に記載の乳児熟眠補助用機能性マット。
【請求項１０】
前記サイドサポーターが設置された位置の反対側マット本体の端部エッジの高さがマット本体の中央部分の表面の高さより高いことを特徴とする請求項１に記載の乳児熟眠補助用機能性マット。
【発明の詳細な説明】
【技術分野】
【０００１】
本発明は育児補助器具に乳児熟眠補助用機能性マットに係り、より詳細には、乳児が横になって安心して寝ることができる乳児熟眠補助用機能性マットに関する。
【背景技術】
【０００２】
親は乳児が安全かつ安心して寝ることを望む。これを充足するための多様な乳児専用マットが知られている。この種のマットは、クッション部材を使用し、安全のために乳児が定められた位置から抜け出せない形状とされる。
【０００３】
大韓民国特許第９３０２８９号は、乳児専用の寝具が開示され、着脱が可能な多様なクッションによって乳児の移動による危険を防止し、モビール（揺れる玩具）や防虫網を加えている。日本公開特許第２００５−１２４６３９号の乳児用マットは、頭の部分を足の部分よりも高くなるよう傾斜させて、授乳後の乳児がゲップしやすいようにしている。大韓民国公開特許第２００６−２５２５１号には、ポリウレタン素材のマットに銀粉、黄土粉、炭の粉などの機能材を収納できる溝を内蔵し、皮膚炎に対する殺菌性を向上させ、モビール（揺れる玩具）を備えた乳児用マットが示される。
【０００４】
このような先行技術は、マット特有のやわらかさとともに乳児の安全を確保できるという長所がある。乳児が眠らず横になっているだけであるか、乳児が深く眠っている状況では機能上の差はあるものの、乳児用マットとして特に問題となることはない。しかも、そのような状況が特に親を困らせることもない。
【０００５】
しかし、育児において、親を困らせる状況は乳児がなかなか眠らないということである。保護者が抱っこしてあやすことによって眠り始めたとしても、乳児をマット上に寝かすと、またすぐに眠りから目が覚めて泣く場合がほとんどである。これをいわゆる「乳児の背中センサ」という。このような「乳児の背中センサ」問題は生後１００日までのほとんどの乳児で見られる。背中センサとは、乳児の背中がマットに接触すると、乳児がすぐに感知して泣きはじめるということに付けられた名称である。多くの親がこのような「乳児の背中センサ」によって悩まされている。親は再度乳児を抱っこしてあやすが、このような状況が繰り返されるので、親も疲れて、乳児もなかなか眠ることができない。この対応が従来の技術にはない。
【０００６】
本発明の発明者は、親を悩ませ乳児の眠りを妨げる背中センサ問題を解決するとともに、乳児が安心してかつ安全に眠る又は休むことができる機能性マットを研究した結果、本発明を完成するに至った。
【先行技術文献】
【特許文献】
【０００７】
【特許文献１】大韓民国特許第９３０２８９号公報
【特許文献２】特開２００５−１２４６３９号公報
【特許文献３】大韓民国公開特許第２００６−２５２５１号公報
【発明の概要】
【発明が解決しようとする課題】
【０００８】
本発明の目的は、乳児が安心して熟眠できる新しい概念の乳児用マットを提案することにある。特に乳児が睡眠に入る初期に、背中センサ問題を効果的に解決できることに焦点を合わせた。
【０００９】
多くの親と保護者は、眠りはじめた乳児をベッドに寝かした後、両手を利用して乳児の胸をそっと押す。そして、そのような状態でしばらくの間待つ。つまり「軽い圧迫感」を人為的に作ってあげている。しかし、このような状態が解除されると乳児は眠りから覚める恐れがある。本発明の目的は、乳児に「軽い圧迫感」を与えることができる乳児用マットを提供することにある。
【００１０】
また、本発明の他の目的は、「軽い圧迫感」を提供するとともに、マット上に寝かせた乳児を安全に保護することにある。乳児がうつ伏せ寝で気道がふさがれ突然死することが防止できるマットを提案することにある。
【００１１】
また、本発明のさらに他の目的は、乳児の身体構造に適合し、使用が便利な乳児用マット構造を提案することにある。
【課題を解決するための手段】
【００１２】
本発明による乳児熟眠補助用機能性マットは、乳児の身体であるオブジェクトを上方に向かって支持するマット本体と、前記マット本体の表面より全体として丘状に突出し、オブジェクトの腹側を支持するサイドサポーターと、前記マット本体の幅方向に交差するか横切って位置し、前記マット本体に固定されてオブジェクトに密着し、前記オブジェクトを横向きに保持する圧迫サポーターと、前記圧迫サポーターの前記オブジェクトと対向する部分に設置されるクッション充填部と、を含み、前記サイドサポーターの中央部は、前記マット本体の表面と並行する方向に前記マット本体の中央に向かって、前記サイドサポーターの端部に比べて突出しており、前記圧迫サポーターにより、乳児が前記サイドサポーターを手と腕で抱きかかえるように保持されることを特徴とする。
【００１３】
前記サイドサポーターは、前記マット本体と着脱可能に設置されることを特徴とする。
【００１４】
前記圧迫サポーターは、前記マット本体と着脱可能に設置されることを特徴とする。
【００１６】
前記サイドサポーターのマット縁側位置または下面位置に、前記圧迫サポーターの固定のための固定手段が設置されていることを特徴とする。
【００１７】
前記サイドサポーターには、１箇所以上の締結孔が設置されていることを特徴とする。
【００１８】
前記締結孔は、前記サイドサポーターのマット縁側の側面と下面が互いに連通された孔であり、マット本体に設置されている締結具を前記締結孔の中に挿入して前記マット本体と前記サイドサポーターを締結するものであることを特徴とする。
【００１９】
前記圧迫サポーターの一方の端の連結片を前記締結具と結合して前記圧迫サポーターの一方を固定するものであることを特徴とする。
【００２０】
前記締結孔は、前記サイドサポーターのマット縁側の側面と反対側の側面が互いに連通された孔であり、前記圧迫サポーターの一方の端の連結片を前記締結孔の中に挿入した後、前記連結片を前記マット本体に連結することによって、前記圧迫サポーターの一方を固定するものであることを特徴とする。
【００２１】
前記圧迫サポーターの使用時、オブジェクトを基準に前記圧迫サポーターの一方の面はオブジェクトの上に、他方の面はオブジェクトの下に位置するものであることを特徴とする。
【００２４】
前記サイドサポーターが設置された位置の反対側マット本体の端部エッジの高さがマット本体の中央部分の表面の高さより高いことを特徴とする。
【発明の効果】
【００２７】
本発明によれば、乳児がマット上に横になることができ、眠る時に「軽い圧迫感」を乳児に提供でき、あたかも親が乳児の胸をそっと押してあげるような気分を感じさせることができる。これによって背中センサ問題を効果的に解決することができ、乳児が熟眠できる環境を提供できる。
【００２８】
しかも、本発明の乳児熟眠補助用機能性マットによって乳児を寝かすときに安全性と安心感を同時に達成することができ、親が乳児を寝かすのにかかる多くの努力と時間を軽減することができる。
【００２９】
また、機能性マットの表面に設置された乳児の身長を測定できる身長測定表示部が設置されることによって、乳児の成長が簡便にわかるという長所もある。
【００３０】
なお、ここには記載されないが、以下の明細書の段落に記載された効果も同様に扱われるものとする。
【図面の簡単な説明】
【００３１】
【図１】本発明による乳児熟眠補助用機能性マット１のマット本体１０とサイドサポーター３０とオブジェクト１００の関係を概略的に示す図面である。
【図２】サイドサポーター３０の設置位置と個数を示す図面である。
【図３】サイドサポーター３０とマット本体１０の連結方式を拡大して示す図面である。
【図４】本発明の乳児熟眠補助用機能性マット１の各構成要素の連結方式を示す図面である。
【図５】本発明の他の実施例で、圧迫サポーター５０が機能性マット１に連結されることを示す図面である。
【図６】本発明のさらに他の実施例で、圧迫サポーター５０が機能性マット１に連結されることを示す図面である。
【図７】本発明のさらに他の実施例で、圧迫サポーター５０がサイドサポーター３０の下面で連結されることを示す図面である。
【図８】本発明による乳児熟眠補助用機能性マット１の正面構成を示す概略的な図面である。
【図９】乳児熟眠補助用機能性マット１の後面構成を示す図面である。
【図１０】乳児熟眠補助用機能性マット１の断面構成を示す図面である。
【図１１】乳児熟眠補助用機能性マット１の使用状態を示す図面である。
【図１２】本発明の好ましい他の実施例で、乳児熟眠補助用機能性マット１の表面構成を示す図面である。
【発明を実施するための形態】
【００３２】
以下、図面を参照して、本発明による乳児熟眠補助用機能性マットを詳しく説明する。なお、この分野で自明な事項は、説明を省略する。
【００３３】
本発明の乳児熟眠補助用機能性マット１は、マット本体１０とサイドサポーター３０と圧迫サポーター５０を含んで構成される。図１はマット本体１０とサイドサポーター３０の機能を簡明に示している。特に多様な形態のサイドサポーター３０を例示している。マット本体１０の形態を変形させた例は図示しないが、マット本体１０の物理的規格も多様に変形できる。マット本体１０、サイドサポーター３０及び圧迫サポーター５０は、本実施例に限られるものではない。
【００３４】
マット本体１０は、乳児の身体１００（以下オブジェクト１００と表現する）が横になるクッション部材のマットとして機能する。したがってマット本体１０はオブジェクト１００を上方に向かって支持する。
【００３５】
マット本体１０は乳児の体を支持するのでクッション部材で構成される。多様な種類のクッション部材を使用することができる。クッション部材はラテックス、メモリーフォーム、ポリウレタン、エアクッション、綿およびこれらの代用物の中から一つ以上の組合わせで選択され得る。また、マット本体１０はこのようなクッション部材を裏地材質にし、天然綿を表地部材にして、クッション部材が収納されるようにする構成にしてもよい。表地部材は通風性のよい表面構成にした方がよい。このように構成することによって皮膚感触を向上し洗濯の便宜性を保障することができる。このようなクッション部材の特性は、以下のサイドサポーター３０にも該当する。また、圧迫サポーターの全部または一部もこのようなクッション部材から構成され得ることは言うまでもない。
【００３６】
人は寝る時、大抵横向きになる。乳児も同じである。サイドサポーター３０はオブジェクト１００の側面方向でオブジェクト１００を支持する。「側面方向」とは、マット本体１０の側面というよりは、オブジェクト１００の側面と理解されることが好ましい。側面方向でオブジェクト１００を支持するために、サイドサポーター３０はマット本体１０の表面を基準に側壁を形成しなければならない。すなわち、サイドサポーター３０はマット本体１０の表面より直交方向（真上方向）に全体としてゆるやかな丘状に突出する構造物を特徴とする。
【００３７】
図１（ａ）は、サイドサポーター３０がマット本体１０の長さ方向を基準に一方のサイドに設置される例を示している。図１（ａ）の実施例では、平面視（図面を正面で眺める）において、サイドサポーター３０の中央部分が、オブジェクト１００が横になっているマット本体１０の真ん中に向かって突出している構造である。このような構造によってサイドサポーター３０の凸部と凹部ができる。凹部はオブジェクト１００の身体の動きに余裕を提供する。凸部はオブジェクト１００の胸を側面で軽く圧迫することによって本発明が追求する「軽い圧迫感」を提供する。
【００３８】
図１（ｂ）は、サイドサポーター３０の平面視で、オブジェクト１００側に円弧状の屈曲した構造を例示する。オブジェクト１００の身体の動きを規制することによって、あたかも親が寝ている乳児を抱いてあげた時の身体構造と類似した環境にできる。もちろん、この場合にも胸の部分で最も突出して湾曲形状となる構造であるため、同様に「軽い圧迫感」を提供することができる。
【００３９】
図１（ｃ）は、図１（ａ）の構造と図１（ｂ）の構造の長所を結合した変形例である。オブジェクト１００の顔と足の動きをさらに多く規制するものの、同様にオブジェクト１００の胸の部分に対する圧迫を少し強調する構造である。
【００４０】
一方、このようなサイドサポーター３０の位置の反対側のマット本体端部エッジ（ｅｄｇｅ：１９）の高さがマット本体の中央部分の表面の高さよりも高くなるようにすることができる。オブジェクト１００が反対側に転がっていくことを規制するためである。
【００４１】
図１に示すように、マット本体１０の表面上から丘状に突出するサイドサポーター３０の形態が多様であり得る。ところで、サイドサポーター３０の設置位置は図１に示すようなマット本体１０の一方の側面にのみ限定されるものではない。これを図２に例示する。
【００４２】
図２（ａ）は、サイドサポーター３０がマット本体１０の側面に設置される。図示されたように、サイドサポーター３０は一つである。
【００４３】
図２（ｂ）は、サイドサポーター３０がマット本体１０の上下左右の側面にそれぞれ設置されている。マット本体１０の上にあるオブジェクトが上側の側面にあるいは下側の側面に移動することを規制するためである。安定性をさらに確実に確保できる長所があるが、結果としてマットの領域が狭くなる可能性がある。もちろん、マット自体の規格をもう少し大きくすれば問題とはならない。マットの規格を大きくするのであれば、二人以上のオブジェクトが横になれるという長所もある。
【００４４】
図２（ｃ）は、マット本体１０の両側面にそれぞれサイドサポーター３０が設置される構成を示す。図２（ｄ）は、マット本体１０の中央付近にサイドサポーター３０を設置する構成例を示す。このようにサイドサポーター３０の存在によって、本発明の機能性マットは平たいベッドのような構成ではなく、表面を基準に上側の空間に向かって緩やかに突出する丘領域があり、この丘領域によってオブジェクト１００の側面移動が規制される。側面移動を規制する理由は、以下で圧迫サポーターとの関係を通じて軽い圧迫感を構造的に保障するためである。
【００４５】
このような多様な形態のサイドサポーター３０の設置位置について説明する。サイドサポーター３０がマット本体１０に設置されることは明確であるものの、好ましい一実施例では一体型設置されてもよい。一体型設置の第１実施例はマット本体１０とサイドサポーター３０が一体型製造（例えば一体型成形されて射出された後、表地部材で被せられる）にされる。一体型設置の第２実施例はマット本体１０とサイドサポーター３０がそれぞれ別途に製造されるが、マット本体１０にサイドサポーター３０を結合してから消費者に提供される。例えば面ファスナーなどの締結手段でマット本体１０の表面上にサイドサポーター３０を固定させた後、同時に表地部材で処理して本発明のマットを完成することができる。
【００４６】
本発明の好ましい他の実施例ではサイドサポーター３０を着脱式に構成することができる。すなわち、使用者は必要に応じてサイドサポーター３０をマット本体１０に連結するか解除することができる。
【００４７】
着脱方式は多様に工夫できる。その中の一つの実施例を図３に例示する。サイドサポーター３０のマット縁側の側面と下面が互いに連通された締結孔３５があり、この締結孔３５の中にマット本体１０に設置されている締結具１１ａを挿入することによって、サイドサポーター３０をマット本体１０に締結することができる。締結具１１ａは、図３に示すように、一対のリングと各リングに連結された紐で構成され得る。そして、以下で再度説明するが、この締結孔３５と締結具１１ａを利用して圧迫サポーターもともに締結することができる。
【００４８】
図示しないが、サイドサポーター３０とマット本体１０の着脱方式は、面ファスナーを利用した連結と解除、スナップボタンを利用した連結と解除、ファスナーを利用した着脱、紐を利用した連結など多様な手段を利用できる。構造的には、面ファスナー、ファスナー、紐、ボタン、バックルなどの手段を利用してサイドサポーター３０とマット本体１０を連結するとともに、締結孔３５を使うことができる。
【００４９】
図４は、本発明の好ましい一実施例で、乳児熟眠補助用機能性マット１の基本構成を例示する。マット本体１０、サイドサポーター３０および圧迫サポーター５０の結合構成を示している。図４に示すように、サイドサポーター３０がマット本体１０に設置されると、サイドサポーター３０の丘状の頂部３１を中心に側壁が形成される。その後、圧迫サポーター５０が設置されることによってオブジェクト（図示せず）に優しく圧迫できる環境をつくる。
【００５０】
図４（ａ）に示すように、マット本体１０のサイド表面にサイドサポーター３０を位置させる。図３で説明したサイドサポーター３０の締結孔３５はマット本体の縁側と反対側と下面側が互いに連通された孔で構成される。そして、締結孔３５の中に、図４（ｂ）に示すように、圧迫サポーター５０の一方の端の連結片５１を挿入する。また、図４（ｃ）に示すように、マット本体１０の締結具１１ａも締結孔３５に挿入する。
【００５１】
その後、マット本体１０の締結具１１ａと圧迫サポーター５０の連結片５１を連結することによって、本発明の主な構成を結合させる。好ましくは、連結片５１の一方の面には面ファスナーが設置されており、連結片５１を締結具１１ａのリングの中に挿入して連結片５１に結び目をこしらえて締結する。また、連結片５１を締結具１１ａのリングの中に挿入して結び目をこしらえることもできる。
【００５２】
図４に圧迫サポーター５０の構成例を示す。図４（ｃ）の状態でオブジェクトが横になると圧迫サポーター５０の反対側で、サイドサポーター３０側に移動させる。そして、反対側の連結片５２をマット本体１０の締結具１１ａのリングと連結する。そうすると自然にマット本体１０に横になっているオブジェクトがサイドサポーター３０側に図１のように寝返るようになる。圧迫サポーター５０の連結片５２を適切に引っ張ると、サイドサポーター３０はオブジェクトの側面（胸の部分）側から軽い圧迫感を、圧迫サポーター５０はオブジェクトに向かって上側から軽い圧迫感を与えることができる。また、サイドサポーター３０と圧迫サポーター５０によって乳児が睡眠中にうつ伏せとなることが構造的に防止される。したがって、乳児が寝ている途中で、気道がふさがれることがない。
【００５３】
好ましくは、圧迫サポーター５０にはクッション充填部５５が設置される。このクッション充填部５５はオブジェクトの対向位置に設置される。好ましくは、クッション充填材が圧迫サポーター５０の表地部材の内側に位置しながらその位置を変位できるようにする。すなわち、クッション充填材が圧迫サポーター５０の長さ方向に長さを有するように設置される。
【００５４】
乳児熟眠補助用機能性マット１と着脱可能に設置される圧迫サポーター５０は、図４の実施例に示すように、オブジェクトを基準に一方の面はオブジェクトの下にあり、他方の面はオブジェクトの上に位置する。図５の実施例も同じである。ただし、図５の実施例は圧迫サポーター５０を乳児熟眠補助用機能性マット１に締結する方式の変形例を示す。
【００５５】
図５の実施例では、マット本体１０とサイドサポーター３０が一体形成されている機能性マットを示している点で図４の実施例とは異なる。このような場合にもサイドサポーター３０の縁の部分に締結具１１ｂが設置されており、この締結具１１ｂに圧迫サポーター５０の片方の連結片５１が固定される。そして矢印方向に圧迫サポーター５０の他方の連結片５２を移動させて締結具１１ｂに連結して固定する。圧迫サポーター５０を乳児熟眠補助用機能性マット１に連結して固定する方式は図４のとおりである。そして、その変形例も多様であり得る。また、オブジェクトを優しく圧迫するメカニズムも同じである。
【００５６】
図６は、圧迫サポーター５０がマット１に連結されるさらに他の実施例である。
【００５７】
図６は、図５の実施例と同様に、マット本体１０とサイドサポーター３０が一体固定される。もちろん、マット本体１０の縁に沿ってファスナーで固定することもできる。ただし、圧迫サポーター５０の一方がサイドサポーター３０の下面を通じて固定され、その端部がサイドサポーター３０の略中央付近の外側に露出されたバックル５４で構成される。このように構成し、オブジェクトを圧迫サポーター５０の上に位置した後、他の一方の端を圧迫サポーター５０側に移動させながらバックル５４を利用して締結する。この時、オブジェクトはサイドサポーター３０側に密着される。そしてクッション充填部５５がオブジェクトに当接する。
【００５８】
図７は、圧迫サポーター５０が乳児熟眠補助用機能性マット１に設置されるさらに他の実施例である。この実施例は、圧迫サポーター５０の一方の端の固定に対する代案方法を示す。圧迫サポーター５０の片方の端部に、図７に示した通り、固定輪５６を設置し、固定輪５６に弾性を有する差し込み部材６０を差し込む。固定輪５６と差し込み部材６０の連結はサイドサポーター３０の下面でなされるため外部には露出されない。そして、差し込み部材６０の反対側はサイドサポーター３０の下面に設置された固定輪３３に挿入して連結する。このように構成した後、サイドサポーター３０を前述した通りにあるいは変形された方法でマット本体１０に設置する。なお、同じようにクッション充填部５５の充填材は、圧迫サポーター５０の表地部材の中で位置を変更させることができる。
【００５９】
以上の実施例において、圧迫サポーター５０は使用時、マット本体１０の表面上で、マット本体１０の幅方向を横切る部分がある。すなわち、圧迫サポーター５０の少なくとも一つの部材はオブジェクトの上で、マット本体１０を幅方向に横切りながら位置してオブジェクトに密着される。
【００６０】
図８は、本発明の好ましいさらに他の実施形態で、乳児熟眠補助用機能性マット１の正面構造を示す図である。乳児熟眠補助用機能性マット１は、マット本体１０と一対の翼２０ａ、２０ｂを含む。本実施例では、一対の翼２０ａ、２０ｂが圧迫サポーターとして機能する。本実施例は、圧迫サポーターがマット本体１０の表面上でマット本体１０の幅方向に交差して位置する例である。
【００６１】
マット本体１０の表面上で、乳児が横になる。マット本体１０は、乳児の体を支持するため、クッション部材で構成される。これは図１の実施例と同じである。
【００６２】
マット本体１０の上側は、乳児の頭が位置し、下側は足が位置する。マット本体１０の頭対応部１１には屈曲が形成される。また、頭対応部１１の厚さが足対応部の厚さより厚い方がよい。これについては後述する。
【００６３】
また、マット本体１０の両側の側面には一対の翼２０ａ、２０ｂが連結される。翼２０ａ、２０ｂは、図８に示すように、マット本体１０と連結される翼の根元の幅が翼の袂部の幅より長い。このように構成することによって、両翼２０ａ、２０ｂを畳む時に、乳児に息苦しさを感じさせない。また、動きの激しい乳児の身体がマット本体１０から抜け出さないよう優しく維持する。
【００６４】
一対の翼２０ａ、２０ｂもクッション素材で構成される。本発明の一実施例では翼２０ａ、２０ｂのクッション素材は、マット本体１０のクッション素材と同じ素材である。本発明の他の実施例では、翼２０ａ、２０ｂのクッション素材はマット本体１０のクッション素材と異なる材質であってもよい。特に好ましくはラテックス、メモリーフォーム、ポリウレタン、綿およびこれらの代用物の一つ以上の組合わせで選択される。また、このようなクッション部材を裏地材質にし、天然綿を表地部材にして、クッション部材が収納される構成にしてもよい。皮膚感触の向上と洗濯の便宜性がともに保障される。
【００６５】
本発明では、一対の翼２０ａ、２０ｂを互いに対向する方向に畳みながらマット本体１０の上で折り畳むことになる。このような動作メカニズムをより自然にするために、図８に示すように、折り畳みライン２５ａ、２５ｂが翼２０ａ、２０ｂに形成される。
【００６６】
翼２０ａ、２０ｂの袂部には左右にそれぞれ締結手段としての締結片２１、２２が設置される。図８に示す例では、締結手段の一例として、片方の翼２０ｂには締結片２１が、他方の翼２０ａには、締結片２１と面ファスナー結合する締結片２２が設置される。これに限らず、例えば、締結手段は結び紐やボタンでもよい。このように一対の翼部を畳んで固定することによって、オブジェクトを優しく圧迫することができる。
【００６７】
図９は、本発明の乳児熟眠補助用機能性マット１の後面構成を示す。この例は、マット本体と一対の翼が一体結合されるのではなく、分離可能な構成を有する乳児熟眠補助用機能性マット１を提供できる。図９に示すように、マット本体と一対の翼２０ａ、２０ｂが着脱式で結合され、結合位置が可変にできる。
【００６８】
図９に示すように、マット本体の後面１０ｂにはマット本体の長さ方向に沿って左右に複数の翼結合部１５がそれぞれ設置される。そして、この翼結合部１５を選択して、翼２０ａ、２０ｂの根元位置に設置された結合片２７を翼結合部１５に結合するか分離する。
【００６９】
一対の翼２０ａ、２０ｂがマット本体１０に結合する結合位置は、図９に示すように、左右のラインに沿ってそれぞれ選択されるため、乳児の身体に合わせて翼２０ａ、２０ｂの位置を変更できる。
【００７０】
また、翼結合部１５と結合片２７の結合方式は多様に工夫される。好ましくは面ファスナー結合にできる。マット本体の後面１０ｂに左右のラインにそれぞれ設置された翼結合部１５を雌面ファスナーにし、翼２０ａ、２０ｂの根元位置にそれぞれ設置された結合片２７は雄面ファスナーとする。これによって、面ファスナー結合が可能となる。翼結合部１５と結合片２７は、スナップボタンで構成でき、ボタン式で着脱されてもよい。他の例では翼結合部が輪で構成され、翼２０ａ、２０ｂの結合片２７を輪に入れて結び目をこしらえてもよい。
【００７１】
図１０は、図８の乳児熟眠補助用機能性マット１の各部分の断面構成を示す。
【００７２】
図１０の符号１０ａは、マット本体１０の長さ方向の断面を示す。図示されるように、マット本体１０の厚さは全体的に同じではない。マット本体１０の頭対応部１１の厚さを足対応部の厚さより厚くすることによって、乳児が心地よさを感じるようにできる。頭対応部１１が枕として機能する。
【００７３】
図１０の符号１０ｂは、符号１０ａのマット本体１０を９０度回転させた上側の部分、すなわち頭対応部１１の断面を示す断面図である。符号１０ｂの断面に示すように、頭対応部１１には屈曲部が形成され、この屈曲部は内側の部分の厚さを両側の部分より厚さを薄くすることによって溝が形成される。そのため、乳児の頭が人体工学的にこの溝に位置するよう誘導できる。さらに、一対の翼２０ａ、２０ｂを対向させて連結することによって乳児の体を翼２０ａ、２０ｂが囲み、所定の力で優しく押さえることになる。これを通じて乳児の背中センサ問題を改善できる。これは、あたかも親が眠り始めた乳児を寝かした後、両手で乳児の胸をそっと押すのと同じ効果をもたらす。
【００７４】
図１０の符号１０ｃは、符号１０ａのマット本体１０を９０度回転させた上側の部分、すなわち頭対応部１１の断面を示す断面図である。符号１０ｂの断面図とは異なって、図１０の１０ｃの屈曲部の真ん中には溝が形成されず、膨らむように構成される。このように構成することによって、乳児が寝る時横向きになって横になる習慣を身に着けることができる。また、横向きになった状態で一対の翼２０ａ、２０ｂを対向させて連結することによって、乳児の体を翼２０ａ、２０ｂが囲みながら所定の力で圧迫する。これを通じて、いわゆる乳児の背中センサ問題を効果的に解決することができた。
【００７５】
図１０の符号１０ｄは、一対の翼２０ａ、２０ｂの断面図である。符号１０ｄに示すように、一対の翼２０ａ、２０ｂは、クッション素材で構成され、折り畳みライン２５ａ、２５ｂが形成される。
【００７６】
図１１は、本発明の乳児熟眠補助用機能性マット１の使用状態を示す図である。オブジェクト１００が横になった状態で、一対の翼２０ａ、２０ｂを畳む。マット本体１０の上側位置で各翼２０ａ、２０ｂの締結片２１、２２を利用して一対の翼２０ａ、２０ｂを折り畳んで締結する。このように一対の翼を締結することによって乳児の身体を保護するとともに、乳児の胸位置に一対の翼２０ａ、２０ｂが位置して翼の重さと締結によって発生する所定の圧力によって、乳児の胸を優しく圧迫することができる。
【００７７】
このような一対の翼２０ａ、２０ｂの締結メカニズムは、あたかも横になっている乳児の胸を親が手でそっと押すことによって深く熟眠できる機能と同様の機能を具現する。マット上で寝ている乳児は親が手で自分の胸を優しく押してくれるような体験をすることができて安心して熟眠することができる。本発明の機能性マットの模型を製作して実験した結果、一対の翼を互いに対向させて結合することによって乳児の胸を優しく圧迫したので、その結果、乳児がマットに置かれる時、習慣的に眠りから覚めて泣きだす状況がほとんどなくなった。乳児熟眠補助用機能性マット１の上で乳児が安心してかつ安全に熟眠することができるようになった。したがって、親も他のことに専念できる付随の効果も得ることができた。
【００７８】
図１２は、本発明の他の応用例を示す。本発明のマット本体１０の表面の片方にマット本体１０の長さ方向に沿って身長測定表示部４０が設置される。身長測定表示部４０には定規のような目盛りが表示される。このようにマット本体１０の表面に身長測定表示部が一体設置されることによって、乳児をマット本体１０に寝かして乳児の身長を測ることができる。乳児は成長速度が速いため、乳児の身長に対する情報は健康上非常に重要な指標となる。したがって、親は自分の乳児の身長情報に関して大きな関心を持たざるを得ない。このような実施例の構成を通じて、親は乳児を寝かすたびに、すぐに乳児の成長情報がわかるという優れた効果を有する。乳児が起きている状況では、乳児の体をまっすぐにして正確な身長を測定することができる。
【００７９】
身長測定表示部４０は、目盛りが表示された部材をマット本体１０の表面に縫い合わせて設置する。この時、好ましくはマット本体１０の表地部材と同じ部材で設置することによって乳児の触感を悪化させないようにする。また、他の実施例ではマット本体１０の表地部材に目盛りを印刷することによって身長測定表示部４０をマット本体１０の表面に一体化して構成することもできる。
【００８０】
「多様な変形例」
【００８１】
（１）本発明は乳児熟眠補助用機能性マット１の構造に関するもので、その長さ、幅、厚さの寸法は最適な数値で多様に変形されて製造される。その寸法によって制限されるものではない。添付の図面は、説明の便宜のために寸法が誇張されて表現されるため、これによって乳児熟眠補助用機能性マット１の寸法が限定されるものではない。なお、好ましくは乳児熟眠補助用機能性マット１の材質は乳児の皮膚によい素材を使う。
【００８２】
（２）本発明の機能性マット１には視覚的な部材の追加や視覚的な形態変形構成を加えることができる。例えば色彩の追加やキャラクターの構成が追加される。
【００８３】
（３）また、マット本体１０の表面あるいは翼２０ａ、２０ｂのあらかじめ決定された位置に収納部材が設置される。例えば収納部材にはハンカチや乳児のにおいを軽減する機能性部材が収納される。
【００８４】
（４）本発明の乳児熟眠補助用機能性マット１の特定位置に電子デバイスが設置されてもよい。そのような電子デバイスとしては、例えばお母さんの心臓拍動音を連想させる振動モジュールや歌あるいは音声が出力されるようにするサウンドモジュールなどが含まれる。
【００８５】
（５）本発明の乳児熟眠補助用機能性マット１に取っ手を付着し、移動便利性を図ることや、蚊帳を設置して多様なアクセサリーを設置することができる。また、本発明の乳児熟眠補助用機能性マット１をベッド、乳母車、物置き台などに外部構造物と連結して使うことも可能である。
【００８６】
本発明は、上記実施例に制限されるものではない。変更や置換が可能である。
【符号の説明】
【００８７】
１    乳児熟眠補助用機能性マット
１０    マット本体
１１    頭対応部
１１ａ、１１ｂ    締結具
１５    翼結合部
１９    マット本体端部エッジ
２０ａ、２０ｂ    翼
２１、２２    締結片
２５ａ、２５ｂ    折り畳みライン
２７    結合片
３０    サイドサポーター
３１    頂部
３３    固定輪
３５    締結孔
４０    身長表示部
５０    圧迫サポーター
５１、５２    連結片
５５    クッション充填部
５６    固定輪
６０    差し込み部材
１００    オブジェクト（乳児の身体）
【図１】
0006539750.tif 000002
【図２】
0006539750.tif 000003
【図３】
0006539750.tif 000004
【図４】
0006539750.tif 000005
【図５】
0006539750.tif 000006
【図６】
0006539750.tif 000007
【図７】
0006539750.tif 000008
【図８】
0006539750.tif 000009
【図９】
0006539750.tif 000010
【図１０】
0006539750.tif 000011
【図１１】
0006539750.tif 000012
【図１２】
0006539750.tif 000013